(57)【要約】【課題】被験者の瞳孔に対して視線が光源側に向いている最適なタイミングで光を射出することにより、対光反射を精度よく検出できる対光反射計測装置、対光反射計測方法、及び対光反射計測プログラムを提供する。【解決手段】対光反射計測装置は、所定の条件を満たした際に光を射出する光源と、被験者の瞳孔の画像を取得する瞳孔画像取得装置と、被験者の視線を検出する視線検出部と、視線検出部において被験者の視線が有効エリアに向けられたことが検出された場合に光源から光を射出させ、瞳孔画像取得装置で取得される画像に基づいて被験者の瞳孔径を計測する制御部とを備える。【選択図】図２
2020141906.tif 000002
【特許請求の範囲】
【請求項１】
所定の条件を満たした際に光を射出する光源と、
前記被験者の瞳孔の画像を取得する瞳孔画像取得装置と、
前記被験者の視線を検出する視線検出部と、
前記視線検出部において前記被験者の視線が有効エリアに向けられたことが検出された場合に前記光源から光を射出させ、前記瞳孔画像取得装置で取得される前記画像に基づいて前記被験者の瞳孔径を計測する制御部と
を備える対光反射計測装置。
【請求項２】
前記有効エリアは、前記光源の発光領域に対応した領域に設定される
請求項１に記載の対光反射計測装置。
【請求項３】
前記光源から射出された光の光量及び発光時間を計測情報として記憶する記憶部を備え、
前記制御部は、記憶部に記憶された過去の計測情報に基づいて、光量及び発光時間の少なくとも一方を設定する
請求項１又は請求項２に記載の対光反射計測装置。
【請求項４】
前記光源の周囲光を検出する周囲光センサを更に備え、
前記制御部は、前記過去の計測情報及び前記周囲光センサの検出結果に基づいて、前記光量及び前記発光時間の少なくとも一方を設定する
請求項３に記載の対光反射計測装置。
【請求項５】
被験者の視線を検出することと、
前記被験者の視線が有効エリアに向けられたことが検出された場合に光源から光を射出することと、
前記被験者の瞳孔の画像を取得し、取得した前記画像に基づいて前記被験者の瞳孔径を計測することと
を含む対光反射計測方法。
【請求項６】
被験者の視線を検出する処理と、
前記被験者の視線が有効エリアに向けられたことが検出された場合に光源から光を射出させる処理と、
前記被験者の瞳孔の画像を取得し、取得した前記画像に基づいて前記被験者の瞳孔径を計測する処理と
をコンピュータに実行させる対光反射計測プログラム。
【発明の詳細な説明】
【技術分野】
【０００１】
本発明は、対光反射計測装置、対光反射計測方法、及び対光反射計測プログラムに関する。
【背景技術】
【０００２】
被験者の瞳孔に光を照射して対光反射を生じさせ、瞳孔径を計測する対光反射計測装置が知られている（例えば、特許文献１参照）。
【先行技術文献】
【特許文献】
【０００３】
【特許文献１】特開２００２−２３８８５１号公報
【発明の概要】
【発明が解決しようとする課題】
【０００４】
特許文献１に記載の対光反射計測装置では、瞳孔に対して光強度を略均一となるように異なる方向から光を照射する形態である。しかしながら、被験者の視線は常に動いており、瞳孔径を精度よく検出することができなかった。
【０００５】
本発明は、上記に鑑みてなされたものであり、対光反射における瞳孔径を精度よく検出できる対光反射計測装置、対光反射計測方法、及び対光反射計測プログラムを提供することを目的とする。
【課題を解決するための手段】
【０００６】
本発明に係る対光反射計測装置は、所定の条件を満たした際に光を射出する光源と、前記被験者の瞳孔の画像を取得する瞳孔画像取得装置と、前記被験者の視線を検出する視線検出部と、前記視線検出部において前記被験者の視線が有効エリアに向けられたことが検出された場合に前記光源から光を射出させ、前記瞳孔画像取得装置で取得される前記画像に基づいて前記被験者の瞳孔径を計測する制御部とを備える。
【０００７】
本発明に係る対光反射計測方法は、被験者の視線を検出することと、前記被験者の視線が有効エリアに向けられたことが検出された場合に光源から光を射出することと、前記被験者の瞳孔の画像を取得し、取得した前記画像に基づいて前記被験者の瞳孔径を計測することとを含む。
【０００８】
本発明に係る対光反射計測プログラムは、被験者の視線を検出する処理と、前記被験者の視線が有効エリアに向けられたことが検出された場合に光源から光を射出させる処理と、前記被験者の瞳孔の画像を取得し、取得した前記画像に基づいて前記被験者の瞳孔径を計測する処理とをコンピュータに実行させる。
【発明の効果】
【０００９】
本発明によれば、対光反射における瞳孔径を精度よく検出できる。
【図面の簡単な説明】
【００１０】
【図１】図１は、本実施形態に係る対光反射計測装置の一例を模式的に示す図である。
【図２】図２は、対光反射計測装置の一例を示す機能ブロック図である。
【図３】図３は、光源の発光領域の一例を示す図である。
【図４】図４は、本実施形態に係る対光反射計測方法の一例を示すフローチャートである。
【発明を実施するための形態】
【００１１】
以下、本発明に係る対光反射計測装置及び対光反射計測方法の実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１２】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１３】
［対光反射計測装置］  
図１は、本実施形態に係る対光反射計測装置１００の一例を模式的に示す図である。本実施形態に係る対光反射計測装置１００は、被験者の瞳孔における対光反射を計測する。図１に示すように、対光反射計測装置１００は、瞳孔計測装置１０と、眼球画像取得装置２０と、コンピュータシステム（制御部）３０と、出力装置４０と、入力装置５０と、入出力インターフェース装置６０とを備える。瞳孔計測装置１０、眼球画像取得装置２０、コンピュータシステム３０、出力装置４０及び入力装置５０は、入出力インターフェース装置６０を介してデータ通信を行う。瞳孔計測装置１０及び眼球画像取得装置２０は、それぞれ不図示の駆動回路を有する。
【００１４】
瞳孔計測装置１０は、光源１１と、瞳孔画像取得装置１２と、周囲光センサ１３とを有する。瞳孔計測装置１０は、被験者の瞳孔に対光反射を生じさせ、被験者の瞳孔径を計測する。光源１１は、被験者の瞳孔に対光反射を生じさせるための光を射出する。光源１１としては、例えばＬＥＤライト等の各種の発光装置を用いることができる。光源１１は、パルス状の光を射出することが可能である。瞳孔画像取得装置１２は、被験者の瞳孔を撮影し、当該瞳孔の画像を取得する。瞳孔画像取得装置１２としては、例えば可視光カメラ、赤外線カメラ等の各種の撮影装置が用いられる。周囲光センサ１３は、光源１１の周囲の明るさを検出する。周囲光センサ１３としては、例えば半導体素子を用いて形成された照度センサ等が挙げられる。
【００１５】
眼球画像取得装置２０は、被験者の左右の眼球ＥＢの画像データを取得し、取得した画像データをコンピュータシステム３０に送信する。眼球画像取得装置２０は、撮影装置２１を有する。撮影装置２１は、被験者の左右の眼球ＥＢを撮影することで画像データを取得する。撮影装置２１は、被験者の視線を検出する方法に応じた各種カメラを有する。例えば被験者の瞳孔の位置と角膜反射像の位置とに基づいて視線を検出する方式の場合、撮影装置２１は、赤外線カメラを有し、例えば波長８５０［ｎｍ］の近赤外光を透過可能な光学系と、その近赤外光を受光可能な撮像素子とを有する。また、例えば被験者の目頭の位置と虹彩の位置とに基づいて視線を検出する方式の場合、撮影装置２１は、可視光カメラを有する。撮影装置２１は、フレーム同期信号を出力する。フレーム同期信号の周期は、例えば２０［ｍｓｅｃ］とすることができるが、これに限定されない。撮影装置２１は、例えば第１カメラ２１Ａ及び第２カメラ２１Ｂを有するステレオカメラの構成とすることができるが、これに限定されない。
【００１６】
また、例えば被験者の瞳孔の位置と角膜反射像の位置とに基づいて視線を検出する方式の場合、眼球画像取得装置２０は、被験者の眼球ＥＢを照明する照明装置２２を有する。照明装置２２は、ＬＥＤ（light  emitting  diode）光源を含み、例えば波長８５０［ｎｍ］の近赤外光を射出可能である。なお、例えば被験者の目頭の位置と虹彩の位置とに基づいて視線を検出する方式の場合、照明装置２２は設けられなくてもよい。照明装置２２は、撮影装置２１のフレーム同期信号に同期するように検出光を射出する。照明装置２２は、例えば第１光源２２Ａ及び第２光源２２Ｂを有する構成とすることができるが、これに限定されない。
【００１７】
なお、上記の瞳孔画像取得装置１２及び眼球画像取得装置２０は、いずれか一方が他方の機能を兼ね備えた構成であってもよい。この場合、瞳孔画像取得装置１２及び眼球画像取得装置２０の他方の構成を省略することができる。
【００１８】
コンピュータシステム３０は、対光反射計測装置１００の動作を統括的に制御する。コンピュータシステム３０は、本実施形態における制御部である。つまり、コンピュータシステム３０は、後述する視線検出部３１において被験者の視線が有効エリアに向けられたことが検出された場合に光源１１から光を射出させ、瞳孔画像取得装置２０で取得される画像に基づいて被験者の瞳孔径を計測する制御部である。コンピュータシステム３０は、演算処理装置３０Ａ及び記憶装置３０Ｂを含む。演算処理装置３０Ａは、ＣＰＵ（central  processing  unit）のようなマイクロプロセッサを含む。記憶装置３０Ｂは、ＲＯＭ（read  only  memory）及びＲＡＭ（random  access  memory）のようなメモリ又はストレージを含む。演算処理装置３０Ａは、記憶装置３０Ｂに記憶されているコンピュータプログラム３０Ｃに従って演算処理を実施する。
【００１９】
出力装置４０は、フラットパネルディスプレイのような表示装置を含む。なお、出力装置４０は、印刷装置を含んでもよい。入力装置５０は、操作されることにより入力データを生成する。入力装置５０は、コンピュータシステム用のキーボード又はマウスを含む。なお、入力装置５０が表示装置である出力装置４０の表示部に設けられたタッチセンサを含んでもよい。
【００２０】
図２は、対光反射計測装置１００の一例を示す機能ブロック図である。図２に示すように、コンピュータシステム３０は、視線検出部３１と、領域設定部３２と、判定部３３と、光源制御部３４と、計測処理部３５と、記憶部３６とを有する。コンピュータシステム３０の機能は、演算処理装置３０Ａ及び記憶装置３０Ｂ（図１参照）によって発揮される。なお、コンピュータシステム３０は、一部の機能が対光反射計測装置１００の外部に設けられてもよい。
【００２１】
視線検出部３１は、被験者の視線を検出する。本実施形態において、視線検出部３１は、眼球画像取得装置２０によって取得される被験者の左右の眼球ＥＢの画像データに基づいて、三次元グローバル座標系で規定される被験者の視線ベクトルを検出する。視線検出部３１は、規定のサンプリング周期毎に被験者の視線ベクトルを検出する。このサンプリング周期は、例えば撮影装置２１から出力されるフレーム同期信号の周期（例えば２０［ｍｓｅｃ］毎）とすることができる。
【００２２】
領域設定部３２は、光源１１の発光領域に対応した領域に有効エリアを設定する。領域設定部３２は、例えば光源１１の発光領域の内側に有効エリアを設定することができる。有効エリアは、例えば三次元グローバル座標系における面として設定される。有効エリアは、例えば基準位置を中心とした円形の平面状に設定可能であるが、この形状に限定されず、円形とは異なる形状であってもよいし、平面とは異なる形状であってもよい。領域設定部３２は、光源１１の発光領域の外側に有効エリアを設定してもよい。この場合、領域設定部３２は、例えば光源１１の近傍に有効エリアを設定することができる。有効エリアは、光源の近傍にあってもよい。
【００２３】
判定部３３は、領域設定部３２によって有効エリアが設定される場合に、視線ベクトルが有効エリアに向けられているか否かを判定し、判定データを出力する。つまり、判定部３３は、視線ベクトルが有効エリアとして規定される平面と交わるか否かを判定する。判定部３３は、規定の判定周期毎に視線ベクトルが有効エリアに向けられているか否かを判定する。判定周期としては、例えば撮影装置２１から出力されるフレーム同期信号の周期（例えば２０［ｍｓｅｃ］毎）と同一の周期とすることができる。この場合、判定部３３の判定周期は、視線検出部３１のサンプリング周期と同一である。
【００２４】
光源制御部３４は、光源１１における発光動作を制御する。光源制御部３４は、判定部３３の判定データに基づいて、光源１１における発光開始のタイミングを制御する。光源制御部３４は、判定部３３において視線ベクトルが有効エリアに向けられていると判定された場合、光源１１における発光動作を開始する。光源制御部３４は、発光動作において、光源１１から発する光の光量及び発光時間の少なくとも一方を制御する。光量の制御では、例えば光源のパワーを制御する方法や、発光タイミングをパルスで制御する方法などがある。この場合、光源制御部３４は、周囲光センサ１３の検出結果に基づいて、光量を制御可能である。
【００２５】
計測処理部３５は、瞳孔計測装置１０の瞳孔画像取得装置１２の取得結果に基づいて、被験者の瞳孔径を算出する。また、計測処理部３５は、キャリブレーションを行う。キャリブレーションは、瞳孔径の算出のため、キャリブレーション情報を取得する処理である。キャリブレーション情報は、過去の対光反射の計測情報であり、光源１１から光を射出する際の光量及び発光時間の少なくとも一方の適正値を含む。本実施形態において、キャリブレーション情報は、被験者の過去の対光反射計測において有効な結果が計測された場合の光量及び発光時間の少なくとも一方を含む。
【００２６】
記憶部３６は、光源１１から光を射出する際の光量及び発光時間に関するデータを計測情報として記憶する。この光量及び発光時間のデータは、初期設定値、最大値、及びキャリブレーション情報としての値を含む。初期設定値及び最大値は、オペレータによって設定される値である。
【００２７】
また、記憶部３６は、被験者の視線を検出する処理と、被験者の視線が有効エリアに向けられたことが検出された場合に、被験者の瞳孔に対光反射を生じさせるための光を光源から射出させる処理と、被験者の瞳孔の画像を取得し、取得した画像に基づいて被験者の瞳孔径を計測する処理とをコンピュータに実行させる対光反射計測プログラムを記憶する。
【００２８】
［対光反射計測方法］  
次に、本実施形態に係る対光反射計測方法について説明する。本実施形態に係る対光反射計測方法では、上記の対光反射計測装置１００を用いることにより、被験者の対光反射機能を計測する。
【００２９】
図３は、光源１１の発光領域１１ａの一例を示す図である。発光領域１１ａは、被験者に対光反射を生じさせるための光を射出する。発光領域１１ａは、例えば円形状であるが、これに限定されず、矩形、三角形等、他の形状であってもよい。また、発光領域１１ａは、例えば平面状であるが、これに限定されず、曲面であってもよいし、凹部及び凸部の少なくとも一方が形成されてもよい。
【００３０】
発光領域１１ａには、領域設定部３２により有効エリアＸ０が設定される。有効エリアＸ０は、例えば光源１１の発光領域１１ａの内側に設定される。有効エリアＸ０は、三次元グローバル座標系における面として設定される。有効エリアＸ０は、例えば基準位置を中心とする円形の平面状の領域である。領域設定部３２は、有効エリアＸ０の基準位置が発光領域１１ａの中心に一致するように有効エリアＸ０を設定することができる。発光領域１１ａに凹部又は凸部が形成される場合、有効エリアＸ０は、凹部又は凸部を含む形状の面であってもよい。領域設定部３２は、例えばオペレータが入力装置５０等により基準位置の座標と有効エリアの径とを入力することにより、入力結果に基づいて有効エリアＸ０を設定することができる。領域設定部３２は、光源１１の発光領域の外側に有効エリアＸ０を設定してもよい。この場合、領域設定部３２は、例えば光源１１の近傍に有効エリアＸ０を設定することができる。
【００３１】
視線検出部３１は、規定のサンプリング周期（例えば２０［ｍｓｅｃ］）毎に、被験者の視線ベクトルＥを検出する。判定部３３は、被験者の視線ベクトルＥが検出された場合、視線ベクトルＥと有効エリアＸ０との交点Ｘが存在するかを判定し、判定データを出力する。したがって、判定部３３は、上記のサンプリング周期と同一の判定周期毎に判定データを出力する。
【００３２】
光源制御部３４は、判定部３３において交点Ｘが存在すると判定された場合、光源１１から光を射出させる。この場合、被験者が光源１１の発光領域１１ａを見た状態であると推定できる。したがって、この状態で光源１１から光を射出することにより、被験者の瞳孔に対して効率的に刺激を与えることができる。
【００３３】
計測処理部３５は、瞳孔画像取得装置１２の取得結果に基づいて、被験者の瞳孔径を算出する。また、計測処理部３５は、キャリブレーションを行う。キャリブレーションは、瞳孔径の算出のため、キャリブレーション情報を取得する処理である。キャリブレーション情報は、光源１１から光を射出する際の光量及び発光時間の少なくとも一方の適正値を含む。本実施形態において、キャリブレーション情報は、被験者の過去の対光反射計測において有効な結果が計測された場合の光量及び発光時間の少なくとも一方と周囲光センサ１３の検出結果とを含む。
【００３４】
図４は、本実施形態に係る対光反射計測方法の一例を示すフローチャートである。図４に示すように、本実施形態に係る対光反射計測方法では、まず、有効エリアＸ０を設定し（ステップＳ１０１）、光源１１における発光時間及び光量の初期値（Ｙ０、Ｌ０）及び最大値（Ｙｍａｘ、Ｌｍａｘ）をそれぞれ設定する（ステップＳ１０２、Ｓ１０３、Ｓ１０４）。また、対光反射における有効縮瞳率Ｒ０を設定する（ステップＳ１０５）。有効縮瞳率Ｒ０は、対光反射により瞳孔が変化する割合（縮瞳率）の閾値である。
【００３５】
次に、計測処理部３５は、キャリブレーションの要求の有無を判定する（ステップＳ１０６）。例えば、入力装置５０によりキャリブレーションの要求が入力される場合や、記憶部３６に当該被験者についての過去の測定情報又はキャリブレーション情報が存在しない場合、計測処理部３５は、要求有りと判定する。キャリブレーションの要求が無い場合（ステップＳ１０６のＮｏ）、記憶部３６に記憶された過去の測定情報に基づいて、発光時間及び光量の各値（Ｙ１、Ｌ１）を設定する（ステップＳ１０７）。その後、後述するステップＳ１１２以降の処理を行う。
【００３６】
ステップＳ１０６においてキャリブレーションの要求がある場合（ステップＳ１０６のＹｅｓ）、計測処理部３５は、キャリブレーションを行う。計測処理部３５は、当該キャリブレーションが初回か否かを判定する（ステップＳ１０８）。計測処理部３５は、記憶部３６に当該被験者についての過去のキャリブレーション情報が存在しない場合、初回であると判定する。また、計測処理部３５は、記憶部３６に当該被験者についての過去の測定情報又はキャリブレーション情報が存在する場合、初回ではないと判定する。
【００３７】
ステップＳ１０８において初回であると判定された場合（ステップＳ１０８のＹｅｓ）、光源制御部３４は、光源１１の発光時間及び光量として、ステップＳ１０２、Ｓ１０３にて設定した発光時間及び光量の初期値（Ｙ０、Ｌ０）を設定する（ステップＳ１０９）。その後、後述するステップＳ１１２以降の処理を行う。
【００３８】
ステップＳ１０８において初回ではないと判定された場合（ステップＳ１０８のＮｏ）、光源制御部３４は、記憶部３６に記憶された直前回のキャリブレーション情報を取得して（ステップＳ１１０）、キャリブレーション情報に基づいて発光時間及び光量の各値（Ｙ２、Ｌ２）を設定する（ステップＳ１１１）。その後、後述するステップＳ１１２以降の処理を行う。
【００３９】
光源１１における発光時間及び光量が設定された後、計測処理部３５は、瞳孔画像取得装置１２における瞳孔画像の取得を開始する（ステップＳ１１２）。また、計測処理部３５は、周囲光センサ１３の検出結果である周囲光Ａを取得し（ステップＳ１１３）、周囲光センサ１３の検出結果に基づいて光源１１の光量を光量Ｌ３に調整する（ステップＳ１１４）。ステップＳ１１４において、計測処理部３５は、取得した周囲光Ａの値と、キャリブレーション結果に保存されている周囲光Ａ０の値とをもとに、例えば以下の計算式により調整値を算出する。ここでのＬは、前の処理に基づいて、Ｓ１０７の処理を行った場合はＬ１、Ｓ１０９の処理を行った場合はＬ０、Ｓ１１１の処理を行った場合はＬ２の値を用いて光量を算出する。
Ｌ３＝Ｋ１・Ｌ・ｌｏｇ（Ｋ２・（Ａ／Ａ０））＋Ｋ３
（ただし、Ｋ１、Ｋ２、Ｋ３は、任意の係数）
そして、計測処理部３５は、光量Ｌ３の値を設定する。
【００４０】
視線検出部３１は、眼球画像取得装置２０における眼球画像の取得を開始し、眼球画像に基づいて、被験者の視線を検出する（ステップＳ１１５）。判定部３３は、検出した視線が有効エリアＸ０に向けられているか（存在するか）否かを判定する（ステップＳ１１６）。視線が有効エリアＸ０に向けられていない（存在しない）と判定された場合（ステップＳ１１６のＮｏ）、ステップＳ１１３以降の動作を繰り返し行わせる。視線が有効エリアＸ０に向けられている（存在する）と判定された場合（ステップＳ１１６のＹｅｓ）、光源制御部３４は、上記において調整された光量（Ｌ３）となるように光源１１から光を射出させる（ステップＳ１１７）。また、光源制御部３４は、光を射出した時点からの経過時間Ｙを測定し（ステップＳ１１８）、経過時間Ｙが上記において設定された発光時間（Ｙ０又はＹ２）に到達したか否かを判定する（ステップＳ１１９）。ステップＳ１１９において経過時間Ｙが発光時間の設定値（Ｙ０又はＹ２）に到達した場合（ステップＳ１１９のＹｅｓ）、光源１１からの発光を停止させる（ステップＳ１２０）。ステップＳ１１９において経過時間Ｙが発光時間の設定値（Ｙ０又はＹ２）に到達しない場合（ステップＳ１１９のＮｏ）、光源制御部３４は、ステップＳ１１８以降の動作を繰り返し行わせる。光源１１からの発光を停止させた後、計測処理部３５は、瞳孔画像取得装置１２及び眼球画像取得装置２０の動作を停止させる（ステップＳ１２１）。なお、瞳孔画像取得装置１２と眼球画像取得装置２０とが別個に設けられる場合、眼球画像取得装置２０の動作については、ステップＳ１１７が行われた後に停止させてもよい。
【００４１】
その後、計測処理部３５は、瞳孔画像取得装置１２によって得られた瞳孔の画像に基づいて、被験者の瞳孔径を算出する（ステップＳ１２２）。計測処理部３５は、ステップＳ１２２までの処理がキャリブレーションにおける処理であるか否かを判定する（ステップＳ１２３）。キャリブレーションにおける処理であると判定された場合（ステップＳ１２３のＹｅｓ）、求めた瞳孔径から縮瞳率Ｒｃを算出する（ステップＳ１２４）。縮瞳率は、光源１１から光の射出が開始される直前の瞳孔径を最大値Ｒｍａｘとし、発光が行われた後に最も小さくなった瞳孔径を最小値Ｒｍｉｎとした場合、
Ｒｃ＝（Ｒｍａｘ−Ｒｍｉｎ）／Ｒｍａｘ
で表すことができる。
【００４２】
計測処理部３５は、算出した縮瞳率Ｒｃが有効縮瞳率Ｒ０よりも大きいか否かを判定する（ステップＳ１２５）。縮瞳率Ｒｃが有効縮瞳率Ｒ０よりも大きい場合（ステップ１２５のＹｅｓ）、対光反射計測時の光源１１からの光の光量及び発光時間と、周囲光センサ１３の検出結果とをキャリブレーション情報として記憶部３６に記憶させる（ステップＳ１２６）。ステップＳ１２６の後、又は、ステップＳ１２３においてキャリブレーションにおける処理ではないと判定された場合（ステップＳ１２３のＮｏ）、計測処理部３５は、それぞれ算出した縮瞳率Ｒｃの値を記憶部３６に記憶させ（ステップＳ１２７）、処理を終了する。
【００４３】
また、ステップＳ１２５において縮瞳率Ｒｃが有効縮瞳率Ｒ０よりも小さい場合（ステップＳ１２５のＮｏ）、計測処理部３５は、対光反射計測時の光源１１からの光の光量及び発光時間が最大値Ｙｍａｘ、Ｌｍａｘであるか否かを判定する（ステップＳ１２８）。光量及び発光時間が最大値Ｙｍａｘ、Ｌｍａｘである場合（ステップＳ１２８のＹｅｓ）、計測処理部３５は、出力装置４０等を介して光量及び発光時間が最大値に到達したことを示すアラートを出力して（ステップＳ１２９）、処理を終了する。光量及び発光時間が最大値Ｙｍａｘ、Ｌｍａｘではない場合（ステップＳ１２８のＮｏ）、ステップＳ１１０以降の動作を繰り返し行わせる。
【００４４】
以上のように、本実施形態に係る対光反射計測装置１００は、所定の条件を満たした際に光を射出する光源１１と、被験者の瞳孔の画像を取得する瞳孔画像取得装置１２と、被験者の視線を検出する視線検出部３１と、視線検出部３１において被験者の視線が有効エリアＸ０に向けられたことが検出された場合に光源１１から光を射出させ、瞳孔画像取得装置１２で取得される画像に基づいて被験者の瞳孔径を計測する制御部とを備える。
【００４５】
本実施形態に係る対光反射計測方法は、被験者の視線を検出することと、被験者の視線が有効エリアＸ０に向けられたことが検出された場合に光源１１から光を射出すること、被験者の瞳孔の画像を取得し、取得した画像に基づいて被験者の瞳孔径を計測することとを含む。
【００４６】
本実施形態に係る対光反射計測プログラムは、被験者の視線を検出する処理と、被験者の視線が有効エリアＸ０に向けられたことが検出された場合に光源１１から光を射出させる処理と、被験者の瞳孔の画像を取得し、取得した画像に基づいて被験者の瞳孔径を計測する処理とをコンピュータに実行させる。
【００４７】
本実施形態によれば、被験者の視線が光源１１に向けられているタイミングで光源１１から光を射出することができるため、被験者の瞳孔に対して最適なタイミングで光を射出可能となる。これにより、対光反射を精度よく検出できる。
【００４８】
本実施形態に係る対光反射計測装置１００において、有効エリアＸ０は、光源１１の発光領域１１ａに対応した領域に設定される。これにより、被験者の視線が発光領域１１ａに対応した領域に向けられるタイミングで発光領域１１ａから光が射出されるため、被験者の瞳孔に対して光をより適切なタイミングで照射することができる。
【００４９】
本実施形態に係る対光反射計測装置１００は、光源１１から射出された光の光量及び発光時間を計測情報として記憶する記憶部３６を備え、光源制御部３４は、記憶部３６に記憶された過去の計測情報（キャリブレーション情報）に基づいて、光量及び発光時間の少なくとも一方を設定する。これにより、被験者の瞳孔に対してより適切な条件で光を照射することができる。
【００５０】
本実施形態に係る対光反射計測装置１００において、過去の計測情報（キャリブレーション情報）は、被験者の過去の対光反射計測において有効な結果が計測された場合の光量及び発光時間の少なくとも一方を含む。これにより、被験者固有の適切な条件で光を照射できるため、精度の高い計測結果を得ることができる。
【００５１】
本実施形態に係る対光反射計測装置１００において、光源１１の周囲光を検出する周囲光センサ１３を更に備え、光源制御部３４は、過去の対光反射の計測情報（キャリブレーション情報）及び周囲光センサ１３の検出結果に基づいて、光量及び発光時間の少なくとも一方を設定する。これにより、周囲光の影響を踏まえた条件で被験者の瞳孔に光を照射することができるため、精度の高い計測結果を得ることができる。
【００５２】
本発明の技術範囲は上記実施形態に限定されるものではなく、本発明の趣旨を逸脱しない範囲で適宜変更を加えることができる。例えば、光源１１の発光領域１１ａに被験者の視線を誘導するためのディスプレイ等が設けられてもよい。
【符号の説明】
【００５３】
Ｅ…視線ベクトル、Ｌ１〜Ｌ３…光量、ＥＢ…眼球、Ｒ０…有効縮瞳率、Ｘ０…有効エリア、Ｘ…交点，視線、Ｙ…経過時間、Ｒｃ…縮瞳率、１０…瞳孔計測装置、１１…光源、１１ａ…発光領域、１２…瞳孔画像取得装置、１３…周囲光センサ、２０…眼球画像取得装置、２１…撮影装置、２１Ａ…第１カメラ、２１Ｂ…第２カメラ、２２…照明装置、２２Ａ…第１光源、２２Ｂ…第２光源、３０…コンピュータシステム，制御部、３０Ａ…演算処理装置、３０Ｂ…記憶装置、３０Ｃ…コンピュータプログラム、３１…視線検出部、３２…領域設定部、３３…判定部、３４…光源制御部、３５…計測処理部、３６…記憶部、４０…出力装置、５０…入力装置、６０…入出力インターフェース装置、１００…対光反射計測装置
【図１】
2020141906.tif 000003
【図２】
2020141906.tif 000004
【図３】
2020141906.tif 000005
【図４】
2020141906.tif 000006